Podtech/llm-jp-corpus-v4-ja_patent huggingface dataset:
(57)【要約】【課題】コーヒーの木の葉を用い、その本来の風味及び味を生かした葉茶原料及び茶飲料の提供を目的とする。【解決手段】摘採したコーヒーの生葉を２５０〜５００℃の過熱蒸気にて還元雰囲気焙煎したことを特徴とする【選択図】  なし【特許請求の範囲】
【請求項１】
摘採したコーヒーの生葉を２５０〜５００℃の過熱蒸気にて還元雰囲気焙煎したことを特徴とするコーヒー葉茶原料の製造方法。
【請求項２】
請求項１記載のコーヒー葉茶原料に湯を注いで抽出することを特徴とするコーヒー葉茶飲料の製造方法。
【発明の詳細な説明】
【技術分野】
【０００１】
本発明は、コーヒーの木から摘採したコーヒー生葉を用いた葉茶原料の製造方法及び茶飲料の製造方法に関する。
【背景技術】
【０００２】
コーヒーの木の豆は焙煎し、湯にて抽出したコーヒー飲料として広く飲まれている。
これに対してコーヒーの木の葉はポリフェノールが多いことが分かっているのに、これまで茶としてあまり飲まれていない。
特許文献１に、コーヒー生葉を蒸熱した後に１５０〜２５０℃で焙煎する焙じ茶様の茶飲料が提案されている。
また、同公報によればコーヒー生葉を乾燥させた緑茶風飲料、コーヒー生葉を発酵させた後に蒸熱及び焙煎を行う紅茶風飲料等も提案されている。
それなのに、これまでコーヒー葉茶が飲料として普及していないのはコーヒー葉本来の風味や味が充分に生かされていないためと思われる。
【先行技術文献】
【特許文献】
【０００３】
【特許文献１】特開２００２−１９１３３２号公報
【発明の概要】
【発明が解決しようとする課題】
【０００４】
本発明は、コーヒーの木の葉を用い、その本来の風味及び味を生かした葉茶原料及び茶飲料の提供を目的とする。
【課題を解決するための手段】
【０００５】
本発明に係るコーヒー葉茶原料の製造方法は、摘採したコーヒーの生葉を２５０〜５００℃の過熱蒸気にて還元雰囲気焙煎したことを特徴とする。
【０００６】
本発明でコーヒーの葉とは、アカネ科コーヒーノキ属に属する植物（木）の生葉をいい、入手しやすいものとして、アラビア種、ロブスタ種がある。
【０００７】
従来のようにコーヒーの木から生葉を摘採し、蒸熱及び乾燥後に焙煎する茶葉の製造方法にあっては、コーヒー豆から得られるコーヒーの風味とは異なるものであり、焙煎が不充分であると青草臭さが残り、焙煎が強いと焦げ臭さが残るものであった。
これに対して本発明は、２５０〜５００℃の過熱蒸気にて焙煎したことにより、コーヒー豆様に焙煎できるとともに、過熱蒸気は乾燥したドライスチームであり、低酸素の還元雰囲気となることから焦げ臭さがなくなり、この茶葉に湯を注いで抽出したお茶は風味の優れた香りの高い飲料となる。
【０００８】
ここで過熱蒸気とは、水を加熱して発生した蒸気をさらにヒーター等にて加熱することで２５０〜５００℃の乾燥した蒸気にすることをいう。
このような過熱蒸気をコーヒー生葉に向けて噴射すると、従来の１００℃前後のスチームで蒸熱するのとは異なり、乾燥した状態で加熱することになるのでコーヒー生葉の乾燥と焙煎が連続的に進行するとともに周囲よりも低酸素の還元雰囲気になることから焦げ臭さが生じない。
【０００９】
なお、コーヒー生葉の焙煎を均一に促進する目的で過熱蒸気による加熱で遠赤外線を放射するセラミックスを焙煎機内に配設してもよい。
また、焙煎機はコーヒー生葉に向けて過熱蒸気を噴射できるものであれば容器のようなバッチ式でも、トンネル通過型のコンベア式でもよい。
【００１０】
過熱蒸気で生葉を焙煎した後に直ぐに、空気中にさらすと冷却の際に空気中の酸素にて酸化され、やや焦げ臭さが残る場合がある。
そこで好ましくは、２５０〜５００℃の過熱蒸気で焙煎した後に１００〜１５０℃の蒸気にて冷却し、その後に空気中に茶葉を取り出すのがよい。
【００１１】
このようにして得られた茶葉は破砕あるいは粉砕して袋詰めしたティパックにしてもよく、熱湯を注ぐことによりエキスが抽出された茶飲料になる。
【発明の効果】
【００１２】
本発明に係るコーヒー葉茶原料の製造方法によれば、還元雰囲気状態で過熱蒸気による焙煎を行うことにより、生葉の乾燥と焙煎が連続的に進行するとともに空気酸化されないので焦げ臭さが残らない。
これにより風味のある香りの高い茶飲料を得ることができる。
【発明を実施するための形態】
【００１３】
コーヒーの木から生葉を摘みとり容器に入れ、約４００〜５００℃の過熱蒸気を約２〜３分間噴射し焙煎した。
次に約１２０℃の過熱蒸気に切り替えて冷却した後に容器から取り出した。
これにより茶色に焙り上がった茶葉が得られた。
この茶葉を細かく破砕し、熱湯を注いで茶を抽出した。
得られた茶飲料は、コーヒーの風味と紅茶の風味とがミックスされた香りの高い飲料となった。
(57)【要約】【課題】焙煎したコーヒー豆はハニカム状の微細な多孔質になっていることに着目し、これに水素ガスを含浸させたチョコレート菓子の提供を目的とする。【解決手段】コーヒー豆を焙煎した後に水素ガスと接触させ、その後にチョコレートで被覆されたものであることを特徴とする。【選択図】  なし【特許請求の範囲】
【請求項１】
コーヒー豆を焙煎した後に水素ガスと接触させ、その後にチョコレートで被覆されたものであることを特徴とするコーヒー豆のチョコレート菓子。
【請求項２】
コーヒー豆を焙煎する工程と、
焙煎したコーヒー豆に水素ガスを接触させる工程と、
次にチョコレートで被覆する工程とを有することを特徴とするコーヒー豆のチョコレート菓子の製造方法。
【発明の詳細な説明】
【技術分野】
【０００１】
本発明は、コーヒー豆にチョコレートを被覆した菓子及びその製造方法に関する。
【背景技術】
【０００２】
コーヒーの木の果実から果肉等を除去して得られたコーヒー豆は、炒り豆としてそのまま食用にできない。
一般的には焙煎し、コーヒーミルで粉砕し、粉砕したコーヒーの粉から熱湯で抽出した飲料をコーヒーとして広く飲まれている。
しかし、比較的低温で焙煎することで食べられるようになり、チョコレートで被覆した菓子が特許文献１に開示されている。
ところが、コーーヒー豆は焙煎により内部がハニカム状の微細な多孔質構造になるため、酸化が進行しやすく、焙煎時に生じた炭酸ガスが内部に多く残っていることもあって、コーヒー固有の香りがしなくなったり、焦げ臭くなる問題があった。
また、特許文献２に水素ガスが成人病や老化現象を引き起こす体内の過酸化物を中和する作用があるとして、食品に水素ガスを溶存させることが開示されている。
しかし、ゲル化食品に水素ガスを溶存させることは難しい。
【先行技術文献】
【特許文献】
【０００３】
【特許文献１】特開平６−２９２５０８号公報
【特許文献２】特開２００９−１６５４５９号公報
【発明の概要】
【発明が解決しようとする課題】
【０００４】
本発明者は、焙煎したコーヒー豆はハニカム状の微細な多孔質になっていることに着目し、これに水素ガスを含浸させたチョコレート菓子の提供を目的とする。
【課題を解決するための手段】
【０００５】
本発明に係るコーヒー豆のチョコレート菓子は、コーヒー豆を焙煎した後に水素ガスと接触させ、その後にチョコレートで被覆されたものであることを特徴とする。
このようなチョコレート菓子の製造方法は、コーヒー豆を焙煎する工程と、焙煎したコーヒー豆に水素ガスを接触させる工程と、次にチョコレートで被覆する工程とを有することを特徴とする。
【０００６】
本発明に用いるコーヒーの生豆は、一般的に入手しやすいアラビア種、ロブスタ種等のコーヒー生豆でよい。
焙煎方法は、食べやすいように４５０℃以下の加熱温度で焙煎するのが好ましいが、熱湯から得られる水蒸気をさらに過熱した２５０℃〜５００℃の過熱水蒸気をコーヒー生豆に接触させて焙煎するのがさらに好ましい。
過熱水蒸気は、乾燥したドライスチームであり、これをコーヒー生豆に向けて噴射すると雰囲気が周囲よりも相対的に酸素濃度が低い低酸素の還元雰囲気となり、従来の空中加熱焙煎と比較して焙煎豆に焦げ臭さがなくなり、豆の多孔質の内部も酸化されにくい。
【０００７】
焙煎した豆を水素ガスに接触させる手段としては、この焙煎豆を容器に入れ、空気を水素ガスに置換するとともに加圧する方法が例として挙げられる。
また、この場合に焙煎豆を容器に入れた状態で一旦減圧し、豆内部のガスを外に排出させた後に水素ガスと接触させてもよい。
さらには水素ガスを循環させているパイプ中に焙煎豆を通過させてもよい。
【０００８】
焙煎したコーヒー豆にチョコレートを被覆する方法は、公知の方法を用いることができ、例えば流動状態に加熱したチョコレートに接触させればよい。
【発明の効果】
【０００９】
本発明に係るコーヒー豆のチョコレート菓子は、多孔質の焙煎豆の内部に水素ガスを含浸させた状態でチョコレートを被覆したので、内部に水素が多く含まれるチョコレート菓子となる。
【発明を実施するための形態】
【００１０】
網目状の容器にコーヒー生豆を入れ、約４００〜５００℃の過熱蒸気中に約３〜１０分間容器を回転保持した。
次にこの焙煎した豆を容器に入れ、１〜２気圧の水素ガスと接触させた。
次に上記のように水素ガスを内部に含浸させた豆を容器の中に入れ、転がしながら上部からチョコレートを吹きかけコーティングした。
これにより、チョコレートで被覆された菓子が得られた。
(57)【要約】【課題】ロールトイレットペーパーの先端をつかむ時に、中の巻取り部分にぴったり付いていてとり辛い。【解決手段】ロールトイレットペーパー巻き取り機の上蓋に金具及びプラスチック製の物に、差し込穴と紙を通す穴をあける。【選択図】図１
2013106925.tif 000002
【特許請求の範囲】
【請求項１】
ロールトイレットペーパー巻き取り機の上蓋に上蓋差し込み穴とペーパーを通す穴を開けた金具及びプラスチックで作ったものを取り付け、上蓋のペーパー切りい取り付けた部分をネジで固定するものである。
【発明の詳細な説明】
【技術分野】
【０００１】    本発明は、ロールトイレットペッパーに関する。
【背景技術】
【０００２】    従来のロールトイレットペーパー取り付け機は、上蓋に紙切り金具などで付いている。
【発明の概要】
【発明が解決しようとする課題】
【０００３】  ロールトイレットペーパーを使うとき、ロールペーパーの先端が中の巻き戻り部分にぴったり付いていて先端をすぐにつかむことができない。
【課題を解決するための手段】
【０００４】  ロールトイレットの上蓋のペーパー切り取り部分に、上蓋に差し込む穴とペーパーを通す穴の開けた、金属製の物かプラスチック製の物を取り付ける。
【発明の効果】
【０００５】  穴の開いた部分にペーパーを通すことで、隙間ができ簡単にペーパーの先端をつかむことできる。
【図面の簡単な説明】
【０００６】
【図１】  １の穴のあいた部分をトイレットペーパーの巻き取り機の上蓋のペーパー切り部分にさしこみます
【図２】  横から見た場合、１の穴に差し込んだ隙間作りを３のネジで固定します
【図３】  平面から見た場合、隙間作りを２本のネジで固定します。
【符号の説明】
【０００７】１、上蓋差し込穴
２、ロールトイレットペーパー通し穴
３、上蓋に差し込んだ隙間作り固定ネジ
【図１】
2013106925.tif 000003
【図２】
2013106925.tif 000004
【図３】
2013106925.tif 000005
(57)【要約】【課題】水切りかごはほとんど出しっぱなしになっているが、その理由の一つは、意外とかさばるのでしまえる場所がないということである。家庭では、狭い台所であっても作業の量はけして少なくないので、下ごしらえから配膳までは調理台を広く使いたい場面がある。また、見た目の点からも、しまえればキッチンを美しく見せたい気持ちにかなう。【解決手段】使わない時は、約２センチに縮めてしまっておけ、広げるだけですぐ使用できるよう工夫した。皿立て部分においても、ワイヤーのアーチが食器の湾曲面に添い、しっかりと保持できる形状のため、使いやすくなっている。水受けトレイには美しい色柄をほどこすとともに、お盆としての用途にも利用できる作りとした。【選択図】図１
2013106779.tif 000002
【特許請求の範囲】
【請求項１】
留め金具不要で、広げるだけで利用できる事を特徴とする、折りたたみ式水切りかご。
【請求項２】
底面の片側を引き上げ、側面を折りたたむことで、薄く縮められ、不要の時簡単にしまえることを特徴とする、請求項１記載の水切りかご。
【請求項３】
本体底面より下側に位置する下向きのアーチによる、皿立て構造を特徴とする、請求項１記載の水切りかご。
【請求項４】
お盆としての用途に考慮して作られた、水受けトレイが付属する、請求項１記載の水切りかご。
【請求項５】
色彩、柄などのデザインに配慮した水受けトレイが付属する事を特徴とした、請求項１記載の水切りかご。
【発明の詳細な説明】
【技術分野】
【０００１】
この発明は、家庭向け食器用水切りかごに関するものである。
【背景技術】
【０００２】
従来、家庭用に使いやすく、かつ簡単にたたんでしまえるような水切りかごはなかった。
【先行技術文献】
【特許文献】
【０００３】
【特許文献１】特開２０１１−０１１８１８
【特許文献２】特開２０１０−０６３６４０
【発明の概要】
【発明が解決しようとする課題】
【０００４】
水切りかごは、家庭では使用していない時でもほとんど出しっぱなしになっているが、その理由の一つは、意外とかさばるのでしまえる場所がないという事である。
洗った食器の一時置場として、大きさがないと入りきらないが、それだけキッチンで場所もとっていた。
【０００５】
また、皿などがうまくたたない構造の場合には、寝かせて置くので食器があまり入らないし、食器の間に水が溜まり水切れが良くなかった。
【０００６】
他のキッチン用品と比べても、所帯くさいみかけの物が多い。このため、あとかたずけを終えてキッチンをピカピカにしても、水切りかごが出ているだけであか抜けない雰囲気にもなりがちである。
【課題を解決するための手段】
【０００７】
使わない時には薄く折りたたんで片付けられるようにした。
その際手間取る事のないように、留め金具などを用いず、広げるだけ、縮めるだけで役立つようにした。
【０００８】
かご内に皿立て用のアーチを設け、皿がしっかり立つ構造とした。
【発明の効果】
【０００９】
あとかたずけに重宝する水切りかごも、狭いキッチンでの調理や配膳の際は、場所をふさぐために作業台を狭くしている。
家庭では、狭い台所であっても作業の量はけして少なくないので、下ごしらえから配膳までは調理台を広く使いたい場面がある。
簡単にしまえて、使う時にさっと広げられたら、これらの不満が解消されて、快適なキッチンの一助となる。
【００１０】
食器洗い機を備えている家庭においても、食器やなべを手洗いすることがあるが、水切りかごをしまっておけるという選択肢があるのはうれしい。
【００１１】
本発明の皿立て部分は、従来品と逆向きに立ち上げたアーチ構造をなしている。このアーチ部分の形と大きさは力学的に設計され、深皿も大皿も小皿も良く立つ形状をしている。
従来品の皿立て部分は底面から上側にあり、垂直もしくはななめ上方へ立ち上がるアーチ、あるいは上方に直線的に立ち上げてから下に向けたアーチ構造をしている。しかしワイヤーの大部分は食器に接しておらず、食器の形にもよるが３点もしくは４点の接触で支えてられているものがほとんどである。
本発明においては、ワイヤーを立ち上げない分、食器の裏側をアーチ自体が接するのでより面的に支えることができ、食器内側の湾曲面に対してもぴたりと接する形状をしている。
このことによってほとんどの食器がしっかりと立ち、その角度も垂直に近く保持できる。
【００１２】
水受けトレイは，本来水を受けるためのみに付属し、見ためは問われない。しかしデザイン性の高い、目に優しいものがあってもいいはずである。たとえば温かみのある白木調のプリントや,美しい青で透明感を活かしたプラスティック素材など。
本発明ではデザインにも配慮し、お茶や軽食の際に便利な、お盆としての用途も兼ねられる仕様にすることで、利便性を高めた。
【図面の簡単な説明】
【００１３】
【図１】使用時の外観を表した、立体図である。
【図２】折りたたんだ形態を表した、立体図である。
【図３】皿立てを使用時の図である。
【発明を実施するための形態】
【００１４】
箱型の本体部分と、水受けトレイ部分からなる。
ステンレススティールのワイヤーを組み合わせた本体は、底面、前側面と後ろ側面、二つ折りになる左右側面が連結金具でつながって箱型をなしている。底面の奥側を上に引き起こすと、左右側面が内側に折りこめるようになり、平たくたためる。
従来、長さ40センチ前後、高さ10センチ前後あったものが、約2センチの厚みにたたむことができる。このため戸棚やまな板の横などにしまうことが可能になる。
【００１５】
本体底面には食器を伏せて置くフラットな面と、皿・鉢・椀などを立てかけて置くことのできるアーチ部分がある。
アーチ部分は、従来品とは逆の底面下方に作られている。これは食器の下側を支える皿立てにおいては理想的な位置でもある。すなわち皿や鉢などの下側の丸みにちょうど添う位置だからである。
このことと、緩やかなアーチを採用して、ワイヤーの直線部分や角を極力排したことによって、従来品では食器に接するワイヤー部分の面積が、多分に点になりがちであったのに比べて、よりアーチが触れる面積が多くなり、面で保持できるようになった。
また、ワイヤー同士の間隔とアーチの形により、垂直に近い向きで皿が立つ。これは斜めに立てるのに比べても嵩をとらないので、より多くの食器を入れられる。
さらに、従来の上向きアーチや直線部分のあるワイヤーでは、深さのある食器が皿立て部分につかえるため立てられないこともあったが、本発明では下向きのアーチが器の形に添うので、ほとんどの食器を立てることができる。
ワイヤーの間隔に満たない平らな皿は、アーチで保持できないので落下を防ぐためのワイヤーを直角方向に配した。
【００１６】
水受けトレイは、本体底面とほぼ同じ広さの四角い盆状で、ふちが立ち上がっている。色・柄などにも配慮するとともに、通常より堅牢に作り、お盆としての用途も兼ねる。材質は、プラスティックなどいろいろ考えられる。
【符号の説明】
【００１７】
１  本体底面
２  前側面
３  後ろ側面
４  左側面
５  右側面
６  連結金具
７  皿立てアーチ部分
８  水受けトレイ
【図１】
2013106779.tif 000003
【図２】
2013106779.tif 000004
【図３】
2013106779.tif 000005
(57)【要約】【課題】  主食に於ける小麦とお米の和洋せっちゅうのパン作り。【解決手段】お米の蒸しパンよりあまざけに注目した発酵させた食材を採用する事による幼児から老人まで歯ざわり食感と腸内消化を向上させた和洋せっちゅうのパンにより解決した。【選択図】    図１
2013158264.tif 000002
【特許請求の範囲】
【請求項１】
パン又はまんじゅうの上表面の皮にあまざけにコーヒーをブレンドして円形を形成したマロンパン。
【請求項２】
パン又はまんじゅうのあずきあんこの代わりにあまざけにコーヒーをブレンドして格納した事を特徴とする請求項１記載のマロンパン。
【発明の詳細な説明】
【技術分野】
【０００１】
本発明は、従来の菓子パンの一つに属するマロンパンに関する。
【背景技術】
【０００２】
従来の菓子パンの例として福山製パンのメロンパンがあります。
【発明の概要】
【発明が解決しようとする課題】
【０００３】
世界のTPP（貿易関税を含んだ農業対策の議論を呼んでいる。）問題により、和（米）と洋（小麦）の折ちゅうの主食作りが検討されているが、メロンパンでは、まだその比率が追究の余地があるという欠点がある。
【０００４】
本発明は、上記実情を鑑みてなされたものであり、従来のたん白質主体のあずきのあんこを入れる箇処に炭水化物主体の米からのあまざけにコーヒーをブレンドさせたものを採用した事によりその比率向上を計った味覚向上達成品である。
【課題を解決するための手段】
【０００５】
上記目的を達成するための発明は、従来のメロンパンの上面の皮メロン又はパンのあんこの部分に、コーヒーあまざけを採用する事により解決の構成である。
【発明の効果】
【０００６】
本発明により、消化のよいあまざけと栗色（マロン）としてのコーヒーがブレンドされたコーヒーあまざけとで従来品にない味覚とダイエット食品和洋せっちゅう品のグローバル化を果します。
【図面の簡単な説明】
【０００７】
【図１】本発明のマロンパンである。
【図２】本発明のマロンパン（断面図）である。
【発明を実施するための形態】
【０００８】
本発明の実施の形態の一例について図面を参照しながら説明する。
マロンパンは図1、図２に示すようにパン又はまんじゅう１とあまざけとコーヒーのブレンドされたマロン（コーヒーあまざけ）２で構成される。コーヒーあまざけがしこう品として味覚に秀れた結果を出す。
【符号の説明】
【０００９】
１        パン又はまんじゅう
２        マロン（コーヒーあまざけ）
【図１】
2013158264.tif 000003
【図２】
2013158264.tif 000004
(57)【要約】      （修正有）【課題】分離効率性能を損なわず、かつ、分離装置全体の占める体積を小さく抑制することができるサイクロン式分離装置の提供。【解決手段】一つの第１サイクロン２と、第１サイクロン２の下流に位置し、且つ並行に配置された複数の第２サイクロン６と、第２サイクロン６の下流に位置し、且つ並行に配置された複数の第３サイクロン１２とを備え、第２サイクロン６の数より、下流に並行して位置する第３サイクロン１２の数を少なく或いは同数としたサイクロン式分離装置。【選択図】図１
2013158686.tif 000002
【特許請求の範囲】
【請求項１】
一つの第１サイクロンと、第１サイクロンの下流に位置し、且つ並行に配置された複数の第２サイクロンと、第２サイクロンの下流に位置し、且つ並行に配置された複数の第３サイクロンとを備えてなるサイクロン分離装置であって、第２サイクロンの数が第１サイクロンの数よりも多く、第３サイクロンの数は第２サイクロンの数と同数或いは少ないことを特徴とするサイクロン式分離装置。
【請求項２】
前記第１サイクロンが円筒状に形成され、
前記複数の第２サイクロンが、前記第１サイクロンの円筒内に設けられていることを特徴とする請求項１記載のサイクロン式分離装置。
【請求項３】
前記第２及び第３サイクロンが、内周壁面においては下降気流の流路となり、中心部においては上昇気流の流路となる気流路部を備え、
前記第３サイクロンの気流路部の長さが、前記第２サイクロンの気流路部の長さよりも長いことを特徴とする請求項１又は２記載のサイクロン式分離装置。
【発明の詳細な説明】
【技術分野】
【０００１】
本発明は、サイクロン式分離装置に関する。
【背景技術】
【０００２】
サイクロンを多段配置するサイクロン式分離装置はよく知られており、これを利用した真空掃除機は例示として特許文献に開示されている。
【０００３】
このような従来技術においては、下流に位置するサイクロン程、その数が増大させ、分離効率を高める構成であり、分離効率を高めることによって伴うサイクロン式分離装置の全他の嵩が張り、サイクロン式分離装置に占める体積が最小化とはならなかった。
【先行技術文献】
【特許文献】
【０００４】
【特許文献１】特表２００８−５４１８１５
【発明の概要】
【発明が解決しようとする課題】
【０００５】
本発明の目的は、分離効率性能を損なわず、サイクロン式分離装置の占める体積を小さくしたサイクロン式分離装置を提供することにある。
【課題を解決するための手段】
【０００６】
本発明によれば、サイクロン多段配置してなるサイクロン分離装置を備え、第２サイクロンの数より下流に並行に位置してなる第３サイクロンの数が同数或いは少なくしてなる構成を特徴とする。
【発明の効果】
【０００７】
本発明によれば、サイクロンを多段配置構成としても、サイクロン式分離装置全体の占める体積を小さく抑制しながら、高性能な分離機能を維持できる。
【０００８】
第３サイクロン数が、第２サイクロンの数より同数或いは少なくなっているので、サイクロン式分離装置の全体的な体積の拡大化を防ぎ、最小限に維持される。
【図面の簡単な説明】
【０００９】
【図１】本発明におけるサイクロン式分離装置の断面側面図である。
【図２】サイクロン式分離装置のサイクロン配置を表す図１のサイクロン式分離装置の断面平面図である。
【発明を実施するための形態】
【００１０】
以下に本発明の好適な実施の形態について、図面を参照しながら説明する。図１は、本実施形態のサイクロン式分離装置の断面側面図を示す。図２は、本実施形態のサイクロン式分離装置の断面平面図を示す。
【００１１】
第１サイクロン２は、円筒状の外壁３、基台４、円筒状壁５によって仕切られた単一の円筒状から構成される。
【００１２】
第２サイクロン６は、互いに対して並行に配置された５つのテーパー状から構成されます。図２に示すように、第１サイクロンの円筒内に並列した状態で位置している。
第２サイクロン６は、１つの吸気口７を備えた上方吸気部８を有している。吸気口７は、空気を上方吸気部８内部に接線方向に導入するように向いており、チャンバー９及び流路（図示せず）と流通している。
また、第２サイクロン６は、円錐台状部分１０を有し、チャンバー９内部に突出している。第２サイクロン６は、上端に位置し、チャンバーと流通している渦深知部１１を有している。この円錐台状部分１０は下降流及び上昇流の気流路部となり、内周壁部にはテーパーに沿い下降流が発生しており、この流れにのって比重、粒子径の大きいものは下方へ導かれ排出される。一方、中心部は逆に上昇流が発生しており比重、粒子径の小さいものはこの流れにのり上方へ排出される。
【００１３】
第３サイクロン１２は、並行に配置された５つのサイクロンから構成されています。第３サイクロン１２は、チャンバー９と流通している吸気口１３を含む上方吸気部１４を有し、該吸気口１３に続き、チャンバー９と流通している円錐台状部分１５も有している。第２サイクロン同様に、円錐台状部分１５の内周壁部には下降流が、中心部は逆に上昇流が発生している。この円錐台状部分１５の長さＬ２は、第２サイクロン６の円錐台状部分１０の長さＬ１よりも長く形成されている。円錐台状部分１５を長くすると分離時間が長くなってごみ分離機能を高める効果があり、その結果第２サイクロンで除去されなかった小さなごみを第３サイクロンで除去することが可能となる。
また第３サイクロン１２は、該上端に位置し、排気口１６備えた排気チャンバー１７と流通している渦検知部を有している。
【００１４】
しかして、サイクロン式分離装置において、サイクロン分離機能が異なる三段階のサイクロンであり、第１サイクロン２は単一の円筒状からなる構成で、外壁３の直径が大きいことは、主として比較的大きな粒子のゴミが空気流から分離される。
【００１５】
第２サイクロン６は、その半径が外壁３の半径よりも相当小さいので、残りの取り込まれたゴミに作用する遠心力が第１サイクロン２よりも相当大きく、更に大きな粒子のゴミが第１サイクロン２の分離機能によって除去されている為、分離機能が向上している。
【００１６】
第３サイクロン１２は、第２サイクロン６よりも小さな半径を有しているので、第２サイクロン６よりも、更に小さな粒子のゴミを分離することができる。
また、第２サイクロン６で既に清浄された空気流を更に清浄できる。
【００１７】
このように、径の異なるサイクロンを多段配置構成とし、下流になる程、径が小さくすることにより、粒子の大小からなるゴミを段階的に除去することができる分離機能を実現できる。
また、下流のサイクロンの数を同数或いは少なくすることにより、サイクロン式分離装置全体の占める体積を比較的小さく抑制することができる。
【符号の説明】
【００１８】
１分離装置
２第１サイクロン
３円筒状の外壁
４基台
５円筒状壁
６第２サイクロン
７吸気口
８上方吸気部
９チャンバー
１０円錐台状部分
１１渦深知部
１２第３サイクロン
１３吸気口
１４上方吸気部
１５円錐台状部分
１６排気口
１７排気チャンバー
１８渦検知部
【図１】
2013158686.tif 000003
【図２】
2013158686.tif 000004
(57)【要約】      （修正有）【課題】道路面の凍結で、滑り転倒しないための携帯防滑具を提供する。【解決手段】靴底の下に馬蹄形台座１を設け、金属製突起（鋭利な鋲）４を親指下の部分と爪先下の部分及び小指下部分迄、の各々各２個づつ設ける。靴の側面にはスパイクが、歩行中靴から外れないよう、柔らかいゴム又は生ゴムの平バンド５を設け、上部の足首辺で、四角な金属金具で折り返して締めて固定する。【選択図】図１
2013158644.tif 000002
【特許請求の範囲】
【請求項１】
当、［携帯用スベラーズ．スパイク］は、靴底の下に馬蹄形台座を設け硬いゴム、又は（プラスチック製）を使用する。尚靴の側面には（親指の横から足先を廻り小指の横）迄を柔らかいゴム（柔軟に伸縮するように）を張る構造とし、靴の側面にぴったりとフイットさせる。
【請求項２】
靴底下の馬蹄形台座の硬いゴムに金属製突起（鋭利な鋲）を親指下の部分と爪先下の部分及び小指下部分迄、の各々各２個づつの鋲を設ける。尚左右の馬蹄形台座にも取付け、左右のスパイクで１セットとし（１組）とする。
【請求項３】
靴底下の馬蹄形台座の形状は、市販されている靴形態（ズック靴、化成靴及び革靴）等の大小サイズを含む靴迄、適応する。
【請求項４】
靴底下の馬蹄形台座製作の基準サイズは、（厚さ５ｍｍ〜７ｍｍ）とし大きさは１０種類の各々サイズとする。
尚、鋭利な鋲の取付間隔は、中心から２０ｍｍ、各鋲の頭のサイズは、φ８ｍｍ〜１０ｍｍとし、突先までの形状は逆三角錐で螺旋状に（ネジ刻み）を設ける。又突起が摩耗した時は、素人でも取り替えできるよう、鋲の頭部上に十字刻みを設け、ドライバーにてネジ込み固定できる。
【請求項５】
当携帯用スベラーズ．スパイクが、歩行中靴から外れないよう、柔らかいゴム又は生ゴムの平バンド（幅１６ｍｍ〜２０ｍｍ、厚み２ｍｍ〜２．５ｍｍ）を設け、上部の足首辺で、四角な金属金具で折り返して（別紙図面のとおり）の方法で締めて固定する。
【発明の詳細な説明】
【技術分野】
【０００１】この携帯用スベラーズ．スパイクは、何時どこでも手軽に携帯し、素人でも簡単に着装も取り除きもでき、ポケットや鞄に入れ、旅先での緊急着装もできます。
靴や履物の種類に関係なく、台座の横幅は７ｃｍ〜１１．５ｃｍ迄の５ｍｍ間隔で、１０サイズを原則とする。
尚、馬蹄形台座が壊れたら壊れた片方だけ、買い求めれば良い。
【背景技術】
【０００２】今年の寒さは特別で、豪雪地域の積雪による、地面及び道路面の凍結による、滑りや転倒での怪我や事故が多数続出し大変でした、そこで私の考案した（携帯用スベラーズ．スパイク）を着装すれば、怪我もなく安全な歩行ができます。
【発明の効果】
【０００３】安価で経済的負担が少なく、手軽に求められる、又滑り止めの突起が摩耗した場合、自分（素人）で簡単に取り替えられる。尚、携帯用に持参（ポケット、鞄、ハンドバック、等）できるので、緊急時にどこでも着装できるので便利です。及び突起の鋲の取り替えも、ドライバー１本で手軽に取り替えることができる。
【図面の簡単な説明】
【０００４】図１、図２、図３、で表示する。
【図１】は、全体図、見取図、側面図。
【図２】は、台座（スベラーズ．スパイク）の左右平面図。
【図３】は、台座の取付部品側面図、平面図。
【符号の説明】
【０００５】▲１▼  馬蹄形スベラーズ．スパイクの台座。
▲２▼  靴の側壁カバーと固定バンド。
▲３▼  台座と靴の側壁カバーとの接着固定部分。
▲４▼  台座に取付る鋭利な鋲（螺旋ネジ付）。
▲５▼  靴と台座との固定バンド（折返し用締付金具付）。
▲６▼  鋭利な鋲の頭部にドライバー用十字形刻み付。
▲７▼  台座の軽量化のカット部分。
【図１】
2013158644.tif 000003
【図２】
2013158644.tif 000004
【図３】
2013158644.tif 000005
(57)【要約】      （修正有）【課題】使用後にそのまま流しに置いても手狭にならないボールを提供する。【解決手段】ボール１を半分に切り、一方の縁にすき間２を設け、中に弾力性のあるパッキンを設ける。他方の半分に切ったボールの縁３をを一方の縁のすき間２に差し込み、ストッパー５を掛ける。ボール１を使用するときはこの状態にし、使わないときはストッパー５を外してボール１を分割すればよい。これにより、全体のかさは半分になり、流しを広く使うことができる。【選択図】図１
2013158643.tif 000002
【特許請求の範囲】
【請求項１】
ボールを半分に切り一方の縁にすき間を設け弾力性のあるパッキンを設ける。
【発明の詳細な説明】
【技術分野】
【０００１】  本発明は流しで水を入れて使うボールに関するものである。
【背景技術】
【０００２】  従来、ボールは使用後もそのままの形で流しに置いた。
【発明の概要】
【発明が解決しようとする課題】
【０００３】  使用後のボールをそのまま流しに置くと流しは手狭になった。
本発明は、以上の問題点を解決するためになされたものである。
【課題を解決するための手段】
【０００４】  ボールを半分に切り一方の縁にすき間を設け、弾力性のあるパッキンをすき間に設ける。外側の継ぎ目にストッパーを設ける。
【発明の効果】
【０００５】  従来、使用後のボールはそのまま流しに置くため手狭になった。本発明のボールは半分のサイズになりその分場所をとらない。
【図面の簡単な説明】
【０００６】
【図１】  本発明の斜視図
【図２】  本発明の断面図
【発明を実施するための型態】
【０００７】  以下、本発明の実施の形態を説明する。
（イ）中央で半分に切ったボール（１）の一方の縁にすき間（２）を設けすき間（２）の内側にパッキン（４）を設ける。
（ロ）ボール（１）の外側の（２）（３）を合せた継目２ケ所にそれぞれストッパー（５）を設ける。
本発明は以上の構造である。
本発明を使用するときは、半分に切ったボールの縁（３）をもう一方の縁のすき間（２）に差し込み、２ケ所のストッパー（５）を掛ける。
【符号の説明】
【０００８】  （１）ボール、（２）切り目、（３）切り目、（４）パッキン、（５）ストッパー
【図１】
2013158643.tif 000003
【図２】
2013158643.tif 000004
(57)【要約】【課題】身体に貼り付ける絆創膏の上面に文字等を書込めるメモ欄を設け、どこでも簡単に書込みが出来て、紛失したり消えたりしないで、身体に貼ったまま使用できることを特徴とする絆創膏一体型メモを提供する。【解決手段】身体に貼り付ける絆創膏の上面にメモ欄を設け、該メモ欄に備忘事項を記入できるようにし、絆創膏の裏面に粘着部を設け、腕や手の甲部に貼り付けることを特徴とした絆創膏一体型メモ。【選択図】図１
2013158641.tif 000002
【特許請求の範囲】
【請求項１】
絆創膏の上面にメモ欄を設け、絆創膏の裏面に粘着剤を塗布した粘着部を設け、メモ欄に備忘事項を記載して身体の一部に貼り付けることを特徴とする絆創膏一体型メモ用紙。
【発明の詳細な説明】
【技術分野】
【０００１】  本発明は、絆創膏の表面にメモ欄を設けて備忘用に必要事項を記載し、そのメモ用紙を手の甲や腕などの身体の一部に貼り付けておく絆創膏一体型メモ用紙に関するものである。
【背景技術】
【０００２】  従来、絆創膏の上面にはメモ記入欄が無かった。
【発明の開示】
【発明が解決しようとする課題】
【０００３】  そのために、次のような問題があった。
（イ）机上や書類に貼付するために、付箋があるが、身体には貼付できなかった。
（ロ）腕や手の甲にメモ記入をすると、書きにくいし、消えやすく不便だった。
本発明は、これらの問題点を解決するためになされたのである。
【課題を解決するための手段】
【０００４】  上記の問題を解決するために、絆創膏の上部に上面に文字等を書込めるメモ欄を設けどこでも簡単にメモが出来て、紛失したり消えたりしないで、身体に貼ったまま使用できることを特徴とする絆創膏一体型メモである
【発明の効果】
【０００５】    その結果、次の効果が生じる。
（イ）とっさにメモが必要な時、書きにくく、消えやすい腕や手の甲に書かなくても良い。
（ロ）付箋では、貼ることが出来なかったメモを、身体に貼付できる。
【発明を実施するための最良の形態】
【０００６】    以下、本発明の実地の形態について説明する。
（イ）絆創膏（１）の上面（１ａ）にメモ欄（２）を設ける。
（ロ）絆創膏（２）の裏面（１ｂ）に粘着剤を塗布した粘着部を設け、粘着部の表面は剥離紙を設ける。
本発明は以上のような構成からなり、本発明を使用するときは、絆創膏（１）の上面（１ａ）のメモ欄（２）に文字等を書き込み、絆創膏（１）の裏面（１ｂ）の剥離紙を剥がして粘着部を身体に貼り付ける。
なお、メモ欄（２）は、一枚のみ、あるいは複数枚数の階層構造としても良い。
また、使用目的により、製品を大小複数種類を用意しても良い。
【図面の簡単な説明】
【０００７】
【図１】本発明の斜視図である。
【図２】本発明の使用状態を示す斜視図である。
【図３】本発明の断面図である。
【符号の説明】
【０００８】    １絆創膏
１ａ上面
２ｂ裏面
２メモ欄
【図１】
2013158641.tif 000003
【図２】
2013158641.tif 000004
【図３】
2013158641.tif 000005
(57)【要約】【課題】本発明は、積雪路上、凍結路上において、滑り転倒することを防止するため、靴の種類、形状などの違いを問わず多種類の靴に簡単に着脱できる靴底の滑り止め具を提供するものである。【解決手段】本発明は、略方形板体１の表面と裏面上の複数箇所に、それぞれ表面突起具２と裏面突起具３を形成し、さらにこの略方形板体１の四隅付近に貫通孔４を設け、これに紐又は平面接着テープ５の一端部を連結し、この他方の一端部左右それぞれを接着してなる着脱可能の靴底滑り止め具である。【選択図】図４
2013158642.tif 000002
【特許請求の範囲】
【請求項１】
薄い板状の鉄板、あるいはアルミ板、ステンレス版を用いた略方形状の板体にあって、この平面上に複数の略コの字型の切り込みを入れて表面上、及び裏面上に向って突出させて突起具とし、この板体の四隅付近にそれぞれ貫通孔を設けて形成してなるものである。
【請求項２】
合成樹脂を用いた略方形状の板体にあって、この板体の平面上の表面部と裏面部にそれぞれ複数の略凸形状の突起具を一体化して成形し、この板体の四隅付近にそれぞれ貫通孔を設けてなるもの。
【請求項３】
略方形板体に設けてある四隅付近にそれぞれ設けてある貫通孔に紐又は接着テープを通して連結し、これを靴の周辺の一部を巻くようにして装着するものである。
【発明の詳細な説明】
【技術分野】
【０００１】本発明は、積雪上、凍結路上において、転倒防止を解決するため、略方形板体の表面と裏面に滑り止めできる複数の突起具と、両側部の四隅付近に、それぞれ紐又は平面接着テープを連結する貫通孔を設け、この孔に紐又は平面接着テープを連結してなる略方形板体を、靴底部の一部に着脱可能に装着できるようにしたものである。すなわち、この発明のものは、どのような靴にも着脱可能に装着できるようにした靴底滑り止め具に関するものである。
【背景技術】
【０００２】従来は、それぞれの靴ごとに金具などの滑り止め具を固着して一体化したものや、靴の種類、形状、大きさごとに合せて装着できるようにしたものでしかなかった。
【先行技術文献】
【０００３】特開平１０−１０８７０６
特開２００９−９５４６０
【発明の概要】
【発明が解決しようとする課題】
【０００４】冬の寒い時期の路上の積雪又は凍結場所などで必要な時に簡単に着脱できる靴底の滑り止め具がないため、多数の転倒事故を起す人が発生するという問題があった。
【課題を解決するための手段】
【０００５】そこで、本発明のものは、上記課題を解決するためなされたものである。すなわち、略方形状の板体１の表面と裏面の一部に複数の切り込みをしてこれらを折り曲げてなるそれぞれの滑り防止具２、３、および紐又は接着テープ５を連結する貫通孔４を設けてなる略方形状の板体１に紐は平面接着テープ５の一方の端部を貫通孔４に連結して、この他方の端部を靴６を巻き込むようにして左右それぞれ結び、又は接着してなるものである。
【発明の効果】
【０００６】この着脱可能の靴底滑り止め具を用いれば、滑り止め具がついていない大きさ、形状の違う様々な靴に簡単に装着できるものである。さらに滑り止め突起具を略方形板体の一部を用いて形成しているので安価に提供できるようにしたものである。
【図面の簡単な説明】
【０００７】
【図１】本発明の着脱可能な靴底滑り止め具を靴の底部に装着した側面部である。
【図２】本発明の平面図である。
【図３】本発明の側面図Ａである。
【図４】略方形状の板体の斜視図である。
【図５】着脱可能の靴底滑り止め具の側面視Ｂである。
【発明を実施するための形態】
【０００８】以下、本発明の実施の形態について、図面を参照しつつ詳細に説明する。
図１は靴に装着して側面部から見た本発明の図である。
図２は、着脱可能の靴底滑り止めの平面図である。
略方形板体１の表面と裏面に、それぞれ複数の表面突起具２と裏面突起具３を設け、さらにこの板体１の四隅付近にそれぞれ貫通孔４を設けて、これに紐又は平面接着テープ５一端部を連結し、他方のそれぞれの端部を結び又は接着できるようにしてあるものである。
図３は、着脱可能の靴底滑り止め具に平面接着テープを連結してある側面図Ａである。
図４は、賂方形板体の斜視図である。
図５は、着脱可能の靴底滑り止め具に平面接着テープを連結してある側面図Ｂである。
【符号の説明】
【０００９】１、略方形板体
２、表面突起具
３、裏面突起具
４、貫通孔
５、平面接着テープ又は紐
６、靴底面
７、靴底
【図１】
2013158642.tif 000003
【図２】
2013158642.tif 000004
【図３】
2013158642.tif 000005
【図４】
2013158642.tif 000006
【図５】
2013158642.tif 000007
(57)【要約】【課題】              濡れたままで畳まれていない折り畳み傘を容易に収納・取り出しが可能で、カバンやベルト等に取り付け持ち運びに便利な折りたたみ傘収納容器を提供する。【解決手段】  上記の問題を解決する為の、請求項1記載の考案は、筒型容器の水平横断面における一部に折りたたみ傘を出し入れする切れ込みを持ち、前記切れ込みの各端部は水平横断面において重ね合うか、若しくは向き合い、前記切れ込み部分は、外部応力により横断面に向かって内外に可動でき、且つ、応力が取り除かれると元の形に復元する、折りたたみ傘容器を提供することを目的とする。【選択図】  図１
2013158619.tif 000002
【特許請求の範囲】
【請求項１】
筒型容器の水平横断面における一部に折りたたみ傘を出し入れする切れ込みを持ち、
前記切れ込みの各端部は水平横断面において重ね合うか、若しくは向き合い、
前記切れ込み部分は、外部応力により横断面に向かって内外に可動でき、且つ、応力が取り除かれると元の形に復元する、折りたたみ傘容器。
【請求項２】
他の構造体へ接続するための取りつけ器具を備えた請求項１記載の容器。
【請求項３】
折りたたみ傘を固定するために、前記容器の片側端部にクランプを有する請求項１から２記載の収納容器
【発明の詳細な説明】
【技術分野】
【０００１】
本発明は、折りたたみ傘を収納できる収納容器に関するものである。
【背景技術】
【０００２】
一般的な折りたたみ傘の収納は、傘と同じような生地を用いて、折りたたんだ状態の傘の大きさに合わせた袋状のものが使われている。傘を収納する時は畳んで、筒状の袋上部の開放部分から挿入するのが普通である。また開放部分に一部スリットが入って入れやすくしているものもある。
【０００３】
一方、傘を収納するために筒状袋の上部開口部に蓋がついたカサホルスター（例えば、実昭６３−１７５４２１）や、傘を収納し持ち運び性を高めた蓋の付いていない傘袋（例えば、特開２０００−３２５１２１）などが知られている。        
【０００４】
また、収納容器を固定し手を添えずに収納できるカサホルダー（例えば、特許４５４７１４４）などが知られている。
【特許文献１】実昭６３−１７５４２１号
【特許文献２】特開２０００−３２５１２１号公報
【特許文献２】特許４５４７１４４号
【発明の開示】
【発明が解決しようとする課題】
【０００５】
しかしながら、上述した従来のカサホルスター、カサホルダーにあっては濡れて嵩張った傘は入れづらく、収納するためには手を濡らして傘をたたまなければならない。また、透湿性の素材の場合、濡れた傘を入れると水が浸透し周りを濡らしてしまう。更に傘を取り出す場合には片手で傘袋を持ちながらもう片方の手で傘を取り出す必要があり両手を必要とする。本発明は、これらの問題点を解決する為になされたものである。
【課題を解決するための手段】
【０００６】
上記の問題を解決する為の、請求項1記載の考案は、筒型容器の水平横断面における一部に折りたたみ傘を出し入れする切れ込みを持ち、前記切れ込みの各端部は水平横断面において重ね合うか、若しくは向き合い、前記切れ込み部分は、外部応力により横断面に向かって内外に可動でき、且つ、応力が取り除かれると元の形に復元する、折りたたみ傘容器を提供することを目的とする。
【０００７】
請求項２の考案は、他の構造体へ接続する為の取りつけ器具を備えている。
【０００８】
請求項３の考案は、収納物を固定する為に、前記容器の片側端部にクランプを有する。
【発明の効果】
【０００９】
本発明の折りたたみ傘収納容器により、たたんでいない傘でも切れ込みを押しのけるようにねじ込むことによって容易に収納容器の中に収納ができるため、手や衣服を濡らすことがなくなる。収納後は切れ込み部分が元の形状に戻る為、傘の濡れた部分を外部から隔絶し、周りの人や自分の衣服やカバンを濡らすことのなく収納、携帯が出来る。また傘の取っ手部分を容器上端部分に固定することにより傘の出し入れが容易となる。さらにカバンやベルト等に接続ができるために傘を手に持って移動する必要がなくなる。
【発明を実施するための最良の形態】
【００１０】
上記目的を達成する為、本発明は、筒状の容器の側面に縦方向に切れ込み、この切れ込みの両端部は容器水平横断面において重なり合っているか、若しくは向かい合っている。また切れ込み部分を有する側面は折り曲げ応力に対して復元性のあるプラスチックやゴム等の素材で出来ており、傘を挿入する時は、このスリット部分にねじ込むように傘を入れ、逆に取り出すときは傘をねじりだすように取り出す。
傘を出し入れした後、容器は元の形状に戻る。また容器自体にベルトやカバン等の金具に取り付けられるカナビラ等のような器具を備え付けて容易に脱着ができる機構になっている。外部へ接続する部分は収納容器上部背面側にあるため、挿入、収容時に取りつけ器具が傘に干渉することがない。切れ込みを容器下部面より上で閉じることにより傘から出る水滴を受けることも可能である。
【００１１】
本発明の実施形態について図面を参照して説明する。図１に、本発明に係る折りたたみ傘収納容器の全体図を示す。図１において、上面１、水滴の落下を防ぐ下部２と側面３とさらに取りつけ器具４を有する。図２の上面図では上面１は側面３に一部を固定され中心部にスリット部５を有し、このスリット部５に傘の取っ手の根元部分を挟み込み固定する。図３に示すように側面３には折り畳み傘を出し入れするための開閉できる側面３a、３bがある。図４、５において、可動側面部分の詳細について説明する。可動側面部はそれぞれ折り重なっているか（図４）、向かい合っている（図５）。収納する時はこの折り重なり部分を押し、傘を回転させながら挿入する。また取り出すときは傘の柄を側面折重なり部分へ倒し取り出す。切り込み部分は傘の挿入、取り出し後は元の位置に戻る。
実施例として傘を挿入した状態を図６に示す。
【００１２】
上部、下部、側面に用いる素材はシリコーンゴム、ポリプロピレン、ポリ塩化ビニル、ナイロンといった周知のプラスチックやゴムの素材を用いることができるが耐久性、柔軟性の点からシリコーンゴムがより好ましい。
【００１３】
脱着可能な取りつけ器具にはゴム、プラスチック、金属等の素材があるが耐久性、コスト、耐腐食性の点からステンレスがより好ましい。
【図面の簡単な説明】
【００１４】
【図１】図１は収納容器の正面図である。（図１）
【図２】図２は収納容器の上面図である。（図２）
【図３】図３は可動側面部を開いた状態の正面図である。（図３）
【図４】図４は収納容器の横断面図である。（図４）
【図５】図５は収納容器の横断面図である。（図５）
【図６】図６は傘を収納した使用例である。（図６）
【符号の説明】
【００１５】
１  上部
２  下部
３  側面
３a  切れ込み左側
３b  切れ込み右側
４  取りつけ器具
５  スリット部
６  傘の取っ手
【図１】
2013158619.tif 000003
【図２】
2013158619.tif 000004
【図３】
2013158619.tif 000005
【図４】
2013158619.tif 000006
【図５】
2013158619.tif 000007
【図６】
2013158619.tif 000008
(57)【要約】【課題】ホビーおよび教育目的で、ブロック玩具が販売されている。その中のロボットキットは、ＣＰＵユニットやモータユニット、センサユニットなどが入っており、簡単にロボットを組立てることが可能である。しかし、従来のブロック玩具のロボットキットから組立てられるロボットは、水平面の歩行もしくは水平面の移動のみであった。本発明は、ブロック玩具用吸着ユニットに関するものである。ブロック玩具のロボットキットに本発明の吸着ユニットを加えることにより、利用者は容易に窓ガラスを登るロボットを製作できることになる。【解決手段】ブロック玩具用吸着ユニットを説明する。吸着パッド１０３を真空にするためのモータ１０４および真空ポンプ１０２を搭載する。これにより吸着パッド１０３内を真空にしてガラスに吸着して登ることが可能となる。また、他のロボットキット部品やユニットと連結しやすいように、ブロック玩具用吸着ユニットの表面に凹部１０１を設ける【選択図】図１
2013158638.tif 000002
【特許請求の範囲】
【請求項１】
真空ポンプおよび吸着パッドを搭載したことを特徴としたブロック玩具用吸着ユニット。
【請求項２】
上記請求項１において、吸着ユニット表面に凹部を複数設け、ブロック玩具の他のユニットとの連結を容易にしたことを特徴とするブロック玩具用吸着ユニット。
【請求項３】
上記請求項１において、ギアを搭載し、ブロック玩具のモータユニットとの連結を容易にしたことを特徴とするブロック玩具用吸着ユニット。
【請求項４】
上記請求項１において、真空ポンプのタイプが、電圧を逆転させることにより負圧正圧が切り替わるタイプであることを特徴としたブロック玩具用吸着ユニット。
【発明の詳細な説明】
【技術分野】
【０００１】本発明は、ブロック玩具用吸着ユニットに関するものである。ブロック玩具のロボットキットに本発明の吸着ユニットを加えることにより、利用者は容易に窓ガラスを登るロボットを製作できることになる。
【背景技術】
【０００２】ホビーおよび教育目的で、ブロック玩具が販売されている。その中のロボットキットは、ＣＰＵユニットやモータユニット、センサユニットなどが入っており、簡単にロボットを組立てることが可能である。しかし、従来のブロック玩具のロボットキットから組立てられるロボットは、水平面の歩行もしくは水平面の移動のみであった。
【発明の概要】
【発明が解決しようとする課題】
【０００３】ブロック玩具のロボットキットを用いて組立てられるロボットが、窓ガラスを登れるようにすること。またその組立てが容易であるようにすることが課題である。
【課題を解決するための手段】
【０００４】［図１］を用いてブロック玩具用吸着ユニットを説明する。吸着パッド１０３を真空にするためのモータ１０４および真空ポンプ１０２を搭載する。吸着パッド１０３内を真空にしてガラスに吸着して登ることが可能となる。【０００５】他のロボットキット部品やユニットと連結しやすいように、ブロック玩具用吸着ユニットは、凹部１０１をもつ。［図１］では側面に多数配置している。【０００６】ブロック玩具用吸着ユニットは［図２］のように構成しても良い。既存のモータユニット２０１（ブロック玩具のロボットキット内にある）にブロック玩具用吸着ユニットを連結する。【０００７】［図２］のブロック玩具用吸着ユニットは、歯車１１０、吸着パッド１０３からなる。この歯車１１０は既存モータユニットのモータの回転数を上げて、真空ポンプ１０２の吸い込み流量を上げるためのものである。【０００８】足を上げるときはがれやすいように、真空ポンプ１０２のタイプは電圧を逆転させることにより負圧正圧が切り替わるタイプを用いる。【０００９】［図３］にこのブロック玩具用吸着ユニットを用いたガラス登りロボットを示す。
【図面の簡単な説明】
【００１０】
【図１】ブロック玩具用吸着ユニットの構成例１
【図２】ブロック玩具用吸着ユニットの構成例２  既存のロボットキットに含まれるモータユニットを利用したときのブロック玩具用吸着ユニットの構成例
【図３】本発明のブロック玩具用吸着ユニットを用いたガラス登りロボット
【符号の説明】
【００１１】１００  吸着ユニット
１０１  ブロック玩具用吸着ユニットに設けられた凹部
１０２  真空ポンプ
１０３  吸着パッド
１０４  モータ
１１０  歯車
２００  既存のロボットキット
２０１  既存のロボットキットに含まれるモータユニット
【図１】
2013158638.tif 000003
【図２】
2013158638.tif 000004
【図３】
2013158638.tif 000005